(57)【特許請求の範囲】
【請求項１】
番組を受信する受信装置において、
提供される番組を受信する受信手段と、
前記番組の番組情報を取得する番組情報取得手段と、
過去に取得した情報の履歴を記録する履歴記録手段と、
前記履歴記録手段に記録された履歴より得られるユーザーの嗜好に基づいて、今後提供される番組の前記番組情報より、ユーザーの視聴する傾向の強い番組の番組情報を前記ユーザーに提供する番組情報提供手段と、
ユーザー認証手段とを備え、
前記ユーザー認証手段の認証結果に基づいて、前記番組情報提供手段により前記番組情報を提供し、又は前記履歴記録手段にアクセス可能とする
ことを特徴とする受信装置。
【請求項２】
前記過去に取得した情報が、
前記番組であり、
前記履歴記録手段は、
過去に視聴した前記番組の番組情報を、前記過去に取得した情報の履歴として記録する
ことを特徴とする請求項１に記載の受信装置。
【請求項３】
前記履歴より、過去に視聴した前記番組の番組情報に含まれる単語の出現頻度に基づいてキーワードを設定することにより前記ユーザーの嗜好が判定され、
前記今後提供される番組の番組情報における前記キーワードの有無により、前記ユーザーの視聴する傾向の強い番組の番組情報が選択される
ことを特徴とする請求項２に記載の受信装置。
【請求項４】
所定の通信回線を介して各種サーバーにアクセスし、
前記過去に取得した情報が、
前記サーバーより取得した情報である
ことを特徴とする請求項１に記載の受信装置。
【請求項５】
前記履歴より、過去に取得した情報に含まれる単語の出現頻度に基づいてキーワードを設定することにより前記ユーザーの嗜好が判定され、
前記今後提供される番組の番組情報における前記キーワードの有無により、前記ユーザーの視聴する傾向の強い番組の番組情報が選択される
ことを特徴とする請求項４に記載の受信装置。
【請求項６】
前記キーワードは、嗜好データベースに登録されて保持され、
前記嗜好データベースに登録された前記キーワードの有無により、前記ユーザーの視聴する傾向の強い番組の番組情報が選択され、
一定期間以上、対応する番組を視聴しない場合、前記嗜好データベースから対応する前記キーワードが削除される
ことを特徴とする請求項３又は請求項５に記載の受信装置。
【請求項７】
前記過去に取得した情報の履歴が、前記過去に一定時間以上視聴した前記番組の番組情報である
ことを特徴とする請求項２に記載の受信装置。
【請求項８】
情報を取得した時点から一定期間経過した過去の履歴を前記履歴記録手段から消去する
ことを特徴とする請求項１に記載の受信装置。
【発明の詳細な説明】
【０００１】
【発明の属する技術分野】
本発明は、受信装置に関し、例えばディジタル衛星放送による受信装置に適用することができる。本発明は、過去の各種情報取得の履歴よりユーザーの嗜好を判定し、この判定結果に基づいて番組情報を選択することにより、多チャンネルにより多くの番組を放送する場合等であっても、番組選択の負担を軽減することができるようにする。
【０００２】
【従来の技術】
従来、ディジタル衛星放送においては、１つの衛星より多数の番組を提供するようになされており、このような多数の番組よりユーザーの所望する番組を簡易に検索できるようにＥＰＧ（Electronic Program Guide）により番組情報を提供するようになされている。
【０００３】
すなわち図８は、この種のディジタル衛星放送システムを示すブロック図である。このディジタル衛星放送システム１において、地上局２は、例えば各種番組提供者よりベースバンドによる映像信号ＳＶ、音声信号ＳＡを受け、エンコーダ３Ａ〜３Ｎによりデータ圧縮してトランスポートストリームを生成する。なおここでこの処理は、ＩＴＵ−Ｔ勧告Ｈ．２６２．ＩＳＯ／ＩＥＣ１３８１８−２及びＩＳＯ／ＩＥＣ１３８１８−３に規定された方式による符号化処理、ＩＴＵ−Ｔ勧告Ｈ２２２．０．ＩＳＯ／ＩＥＣ１３８１８−１で規定される方式による多重化処理により実行される。
【０００４】
さらに地上局２は、データサーバー４よりデータ放送用のデータをトランスポートストリームにより出力する。またＥＰＧジェネレータ（ＥＰＧＧＥＮ）５は、各番組提供者より放送予定のデータである番組情報を取得し、この放送予定より、番組名、番組の内容の紹介、今後の放送スケジュール等によるＥＰＧを生成し、トランスポートストリームにより出力する。
【０００５】
多重化装置（ＭＵＸ）６は、これらエンコーダ３Ａ〜３Ｎ、データサーバー４、ＥＰＧジェネレータ５より出力されるトランスポートストリームを時分割多重化処理し、１つの多重化ストリームを作成する。変調回路（ＭＯＤ）７は、この多重化ストリームを変調する。放送局２においては、このようにして複数番組を多重化してなる変調信号を複数生成し、これら複数の変調信号を周波数多重化してアンテナ８より衛星９にアップリンクする。
【０００６】
ユーザー側においては、衛星９よりダウンリンクされる放送波をアンテナ１０により受信し、受信端末１１に入力する。ここで受信端末１１は、ユーザーの選択操作に応動して所定周波数の放送波を選択的に受信して多重化ストリームを復調する。さらにこの多重化ストリームより所望のパケットを選択して映像信号及び音声信号によるトランスポートストリームを再生し、このトランスポートストリームより映像信号及び音声信号を再生する。
【０００７】
ユーザー側においては、この映像信号及び音声信号をモニタ装置１５によりモニタし、これにより所望の番組を視聴できるようになされている。このようにして放送を視聴するにつき、受信端末１１においては、ユーザーの操作により、ＥＰＧの内容をモニタ装置１５に表示し、これにより放送スケジュール等を確認して所望の番組を選択できるようになされている。
【０００８】
なおこの種の受信端末１１においては、電話回線１２を介して、有料番組の視聴結果、さらには有料番組の視聴予約を顧客管理システム１４に通知できるようになされている。
【０００９】
【発明が解決しようとする課題】
ところでこの種のディジタル放送においては、多数のチャンネルにより番組が提供されることにより、ユーザーにおいては、多くの番組の中から希望する番組を視聴することになり、その分希望する番組を見つけ出すことが困難な問題がある。
【００１０】
従来の受信端末においては、この番組選択の負担を軽減するために、チャンネルの登録により、多くのチャンネルより好みのチャンネルを素早く選択できるようになされている。しかしながらこのようにしても、ユーザーの視聴したい番組が登録したチャンネル以外のチャンネルで放送される場合もあり、この場合は、この番組を見逃してしまうことになる。
【００１１】
因みに、ＥＰＧより所望する番組を選択する場合でも、結局、多くの番組より所望する番組を選択することになる。
【００１２】
本発明は以上の点を考慮してなされたもので、番組選択の負担を軽減することができる受信装置を提案しようとするものである。
【００１３】
【課題を解決するための手段】
かかる課題を解決するため請求項１又は請求項９に係る発明においては、受信装置又は番組情報の提供方法において、過去に取得した情報の履歴より得られるユーザーの嗜好に基づいて、今後提供される番組の番組情報より、ユーザーの視聴する傾向の強い番組の番組情報を提供するようにして、ユーザー認証結果に基づいて、この番組情報を提供し、又は履歴の記録にアクセス可能とする。
【００１５】
【発明の実施の形態】
以下、適宜図面を参照しながら本発明の実施の形態を詳述する。
【００１６】
（１）実施の形態の構成
図２は、本発明の実施の形態に係るディジタル衛星放送システムを示すブロック図である。このディジタル衛星放送システム２０において、図８について上述したディジタル衛星放送システム１と同一の構成は、対応する符号を付して示し、重複した説明は省略する。
【００１７】
このディジタル衛星放送システム２０において、受信端末２１は、電話回線１２を介してインターネット接続プロバイダ２２に接続できるようになされ、これにより放送番組による情報以外に、インターネットに接続して種々の情報を取得できるようになされている。
【００１８】
図１は、受信端末２１を示すブロック図である。この受信端末２１において、チューナ２５は、システムコントローラ２６の制御によりユーザーの所望するチャンネルについて放送波を受信して多重化ストリームを出力する。デマルチプレクサ２７は、システムコントローラ２６の制御により、このチューナ２５より出力される多重化ストリームよりユーザーの所望する番組のパケットを選択して出力する。デコーダ２８は、このパケットによるデータをデータ伸長して処理することにより、映像信号、音声信号、さらにはデータ放送によるデータを復調して出力する。
【００１９】
受信端末２１では、このようにして復調された映像信号及び音声信号がモニタ装置１５に出力され、これにより所望の番組を視聴できるようになされている。またデータ放送によるデータについては、例えば専用ポート、ＲＳ−２３２Ｃポート等を介して外部機器に出力されるようになされている。
【００２０】
加算回路２９において、このデコーダ２８の出力側に配置されて、デコーダ２８より出力される映像信号及び又は音声信号にシステムコントローラ２６より出力される映像信号及び又は音声信号を加算して出力し、またデコーダ２８より出力される映像信号及び又は音声信号に代えて、システムコントローラ２６より出力される映像信号及び又は音声信号を出力する。これにより受信端末２１においては、必要に応じてグラフィカルユーザーインターフェースによるメニュー画面、インターネットに接続して取得した各種情報を表示し、またアラーム音等を出力できるようになされている。
【００２１】
モデム３０は、システムコントローラ２６の制御により電話回線１２に所望のデータを送出し、また電話回線１２を介して所望のデータを取得する。これにより受信端末２１は、必要に応じて顧客管理システム１４に接続できるようになされ、またインターネットによりＷＷＷ（World Wide Web）を閲覧し、さらには電子メールを送受できるようになされている。
【００２２】
インターネット接続履歴３１は、このようにしてインターネットに接続した履歴であり、例えばこの受信端末２１に内蔵のメモリに記録して、またＩＣカード等の記録メディアに記録して形成される。ここでこのインターネット接続履歴３１は、過去に訪問したホームページ、このホームページより取得したテキストデータが訪問した日時と共に記録されるようになされている。
【００２３】
番組視聴履歴３２は、この受信端末２１で受信した番組の履歴であり、例えばこの受信端末２１に内蔵のメモリに記録して、またＩＣカード等の記録メディアに記録して形成される。番組視聴履歴３２は、過去に視聴した番組に関するテキストデータによる番組情報が視聴の日時等と共に記録されるようになされている。
【００２４】
嗜好データベース３３は、所定のキーワードを保持したデータベースであり、ユーザーの趣味嗜好を特徴付ける単語を登録して形成される。なおこの嗜好データベース３３もこの受信端末２１に内蔵のメモリに記録して、またＩＣカード等の記録メディアに記録して形成される。ここでこの単語は、ユーザーの好みの歌手、スポーツのジャンル等である。
【００２５】
嗜好データベース３３は、システムコントローラ２６の制御によりインターネット接続履歴３１、番組視聴履歴３２に記録されたテキストデータよりインターネット接続履歴３１、番組視聴履歴３２に一定以上の出現頻度で登場する単語が選択的に登録されて形成される。
【００２６】
システムコントローラ２６は、中央処理ユニットであり、図示しないメモリ回路に記録された処理手順を実行することにより、操作子Ｍ等の操作に応動してこの受信端末２１全体の動作を制御する。
【００２７】
すなわちシステムコントローラ２６は、ユーザーによる操作子Ｍの操作に応動して、例えばインターネットに接続するメニュー画面を表示し、このメニュー画面を介して実行されるユーザーの操作によりモデム３０を駆動してインターネットに接続し、ユーザーの所望するホームページを訪問する。さらにこのようにしてモデム３０を介して受信されるデータに応じて加算回路２９に映像信号、音声信号を出力し、これにより各ホームページより取得した情報をモニタ装置１５に出力する。
【００２８】
このようにしてホームページを閲覧する際に、システムコントローラ２６は、図３に示す処理手順を実行することにより、インターネット接続履歴３１を更新する。すなわちシステムコントローラ２６は、ユーザーが頁を更新する毎に、この処理手順を開始し、ステップＳＰ１からステップＳＰ２に移る。ここでシステムコントローラ２６は、モデム３０を介して受信されるＨＴＭＬ（Hyper Text Makeup Language）によるデータよりテキストデータを抽出する。
【００２９】
続いてシステムコントローラ２６は、ステップＳＰ３に移り、現在受信中のＵＲＬ（Uniform Resorce Locator ）アドレス、受信時刻と共に、ステップＳＰ２で取得したテキストデータをインターネット接続履歴３１に加えた後、ステップＳＰ４に移ってこの処理手順を終了する。
【００３０】
このようにしてシステムコントローラ２６は、ユーザーが頁を更新する毎に、この処理手順を繰り返してインターネット接続履歴３１を拡充させる。なおシステムコントローラ２６は、このようにしてインターネット接続履歴３１を拡充するにつき、一定の期間経過した過去の記録については、適宜インターネット接続履歴３１より記録を消去するようになされている。
【００３１】
さらにシステムコントローラ２６は、ユーザーの選局により番組を一定時間以上視聴すると、図４に示す処理手順を実行することにより、番組視聴履歴３２を更新する。すなわちシステムコントローラ２６は、ステップＳＰ５からステップＳＰ６に移り、デマルチプレクサ２７よりＥＰＧを取得する。さらにシステムコントローラ２６は、この取得したＥＰＧより受信中の番組についての番組情報を取得する。
【００３２】
システムコントローラ２６は、続いてステップＳＰ７に移り、この取得した番組情報を番組視聴履歴３２に記録した後、ステップＳＰ８に移ってこの処理手順を終了する。
【００３３】
このようにしてシステムコントローラ２６は、ユーザーが番組を視聴する毎に、この処理手順を繰り返して番組視聴履歴３２を拡充させる。なおシステムコントローラ２６は、このようにして番組視聴履歴３２を拡充するにつき、一定の期間経過した過去の記録については、適宜番組視聴履歴３２より記録を消去するようになされている。
【００３４】
システムコントローラ２６は、インターネット接続履歴３１及び番組視聴履歴３２を拡充更新すると共に、定期的に図５に示す処理手順を実行し、これによりインターネット接続履歴３１及び番組視聴履歴３２に記録された履歴より嗜好データベース３３を拡充する。
【００３５】
すなわちシステムコントローラ２６は、ステップＳＰ１０からステップＳＰ１１に移り、ここでインターネット接続履歴３１に記録されたテキストデータ、番組視聴履歴３２に記録された番組情報より単語を切り出す。
【００３６】
続いてシステムコントローラ２６は、ステップＳＰ１２に移り、切り出した単語についてインターネット接続履歴３１、番組視聴履歴３２を検索することにより、インターネット接続履歴３１、番組視聴履歴３２におけるこの単語の出現頻度を検出する。続いてシステムコントローラ２６は、ステップＳＰ１３に移り、この単語の出現頻度が所定値以上か否か判断し、ここで否定結果が得られると、ステップＳＰ１４に移る。
【００３７】
ここでシステムコントローラ２６は、インターネット接続履歴３１に記録されたテキストデータ、番組視聴履歴３２に記録された番組情報より全ての単語を切り出して処理したか否か判断し、ここで否定結果が得られると、ステップＳＰ１１に戻る。これによりシステムコントローラ２６は、ステップＳＰ１１−ＳＰ１２−ＳＰ１３−ＳＰ１４−ＳＰ１１の処理手順を繰り返し、インターネット接続履歴３１に記録されたテキストデータ、番組視聴履歴３２に記録された番組情報より出現頻度の高い単語を検出する。
【００３８】
この処理において、出現頻度が一定以上の単語が検出されると、システムコントローラ２６は、ステップＳＰ１３において肯定結果が得られることにより、ステップＳＰ１３からステップＳＰ１５に移る。ここでシステムコントローラ２６は、嗜好データベース３３を検索することにより、既にこの単語を嗜好データベース（図５においては符号ＤＢにより示す）３３に登録済か否か判断する。
【００３９】
ここで否定結果が得られると、システムコントローラ２６は、ステップＳＰ１５からステップＳＰ１６に移り、この単語を嗜好データベース３３に登録して、ステップＳＰ１４に移る。これに対して肯定結果が得られると、システムコントローラ２６は、ステップＳＰ１５からステップＳＰ１４に移る。これによりシステムコントローラ２６は、インターネット接続履歴３１に記録されたテキストデータ、番組視聴履歴３２に記録された番組情報より出現頻度の高い単語を検出し、ユーザーの趣味、嗜好を示すキーワードとしてこの検出した単語を嗜好データベース３３に登録する。
【００４０】
システムコントローラ２６は、このようにしてインターネット接続履歴３１に記録されたテキストデータ、番組視聴履歴３２に記録された番組情報より、全ての単語を切り出して処理すると、ステップＳＰ１４で肯定結果が得られることにより、ステップＳＰ１７に移ってこの処理手順を終了する。
【００４１】
なおシステムコントローラ２６は、この嗜好データベース３３への登録処理と平行して、嗜好データベース３３に登録されたキーワードであって、一定期間以上、このキーワードに関連する番組がユーザーにより選択されない場合、嗜好データベース３３からこの単語の登録を抹消する。これによりシステムコントローラ２６は、徐々に変化するユーザーの趣味嗜好に対応するようになされている。
【００４２】
かくしてシステムコントローラ２６は、この一連の処理により、例えばインターネットにおいてユーザーが「Ｊリーグ」のホームページを頻繁にアクセスしている場合、この「Ｊリーグ」の単語を「サッカー」等の単語と共に嗜好データベース３３に登録することになる。またユーザーが映画監督「黒沢明」の映画番組を頻繁に視聴している場合には、この「黒沢明」の単語を「映画」等の単語と共に嗜好データベース３３に登録することになる。
【００４３】
これに対して操作子Ｍの操作によりユーザーがこの受信端末２１に特有の番組案内の動作モードを選択すると、システムコントローラ２６は、図６に示す処理手順を実行し、嗜好データベース３３に登録したキーワードを基準にしてユーザーが視聴する可能性の高い番組情報を優先的に表示する。
【００４４】
すなわちシステムコントローラ２６は、ステップＳＰ２０からステップＳＰ２１に移り、ここで嗜好データベース３３に登録されたキーワードをワーキングエリアにロードする。続いてシステムコントローラ２６は、ステップＳＰ２２に移り、ここでデマルチプレクサ２７より取得したＥＰＧによる番組情報より、今後放送される番組について単語を抽出する。
【００４５】
続いてシステムコントローラ２６は、ステップＳＰ２３に移り、この抽出した単語がキーワードと一致するか否か判断し、ここで否定結果が得られると、ステップＳＰ２５に移り、ＥＰＧの全番組情報について単語の抽出、キーワードとの一致判定の処理を実行したか否か判断し、ここで否定結果が得られると、ステップＳＰ２２に戻る。これによりシステムコントローラ２６は、ステップＳＰ２２−ＳＰ２３−ＳＰ２４−ＳＰ２２の処理手順を繰り返し、キーワードを含んでなる番組情報を検出する。
【００４６】
すなわちシステムコントローラ２６は、抽出した単語がキーワードと一致する場合、ステップＳＰ２３からステップＳＰ２５に移り、ここでこの一致した単語を有してなる番組情報をユーザーに提供する番組情報の候補に追加した後、ステップＳＰ２４に戻る。
【００４７】
これによりシステムコントローラ２６は、多くの番組の中から、番組情報にキーワードを有してなる番組を検出する。システムコントローラ２６は、このようにしてＥＰＧの全番組情報について、キーワードの有無を判定すると、ステップＳＰ２４において肯定結果が得られることにより、ステップＳＰ２６に移る。ここでシステムコントローラ２６は、所定の番組案内の画面を表示し、この画面において、ステップＳＰ２５で登録した番組情報を表示した後、ステップＳＰ２７に移ってこの処理手順を終了する。
【００４８】
ところでこのようにして表示される番組情報にあっては、ユーザーの趣味嗜好を反映しており、いわばユーザーの個人情報であるプライバシーに関する情報を提示することになる。このためシステムコントローラ２６は、ユーザーの設定によりプライバシー保護の動作モードに設定されると、図７に示す処理手順を実行して図６について上述した番組情報を表示する。
【００４９】
すなわちシステムコントローラ２６は、ユーザーにより図６について上述した形態による番組情報の表示が指示されると、ステップＳＰ３０からステップＳＰ３１に移り、ここでユーザー認証の処理を実行する。ここでユーザー認証は、例えば操作子Ｍの操作により入力された暗証番号と事前に登録された暗証番号との一致不一致の判定により、また指紋照合、音声照合等により実行される。
【００５０】
システムコントローラ２６は、このユーザー認証により続くステップＳＰ３２において、このユーザーに関してインターネット接続履歴３１又は番組視聴履歴３２が登録されているか、また嗜好データベース３３が構築されているか否か判断し、ここで肯定結果が得られるとステップＳＰ３３に移る。ここでシステムコントローラ２６は、図６について上述した番組検索の処理を実行し、このユーザーに対して視聴する傾向の強い番組情報を選択的に表示した後、ステップＳＰ３４に移ってこの処理手順を終了する。
【００５１】
これに対してユーザー認証によりステップＳＰ３２で否定結果が得られると、システムコントローラ２６は、ステップＳＰ３２からステップＳＰ３５に移る。ここでシステムコントローラ２６は、ＥＰＧによる一般的な番組情報を表示し、これによりユーザーの個人情報を秘密にして、ステップＳＰ３４に移る。
【００５２】
（２）実施の形態の動作
以上の構成において、ディジタル衛星放送システム１においては（図２）、映像信号ＳＶ及び音声信号ＳＡによる複数の番組、データ放送によるデータ等がデータ圧縮された後、ＥＰＧ等と共に時分割多重化処理されて多重化ストリームが形成され、この多重化ストリームが周波数多重化されて衛星９にアップリンクされる。ディジタル衛星放送システム１においては、このようにして生成された放送波が衛星９によりダウンリンクされ、受信端末２１により受信される。
【００５３】
この受信端末２１においては（図１）、モデム３０を介してインターネットに接続され、各ホームページへのアクセス記録がホームページより取得したテキストデータと共にインターネット接続履歴３１に記録される。これによりインターネットを情報源として、過去に取得した情報の履歴がインターネット接続履歴３１に記録される（図３）。
【００５４】
また番組を視聴すると、ＥＰＧより取得した番組情報が番組視聴履歴３２に記録され（図４）、これによりディジタル衛星放送を情報源として、過去に取得した情報の履歴が番組視聴履歴３２に記録される。
【００５５】
さらに一定期間毎に、これらインターネット接続履歴３１に記録されたテキストデータ、番組視聴履歴３２に記録された番組情報が検索され、これらテキストデータ、番組情報に頻繁に出現する単語が嗜好データベース３３にキーワード登録される（図５）。これによりユーザーが「Ｊリーグ」のホームページを頻繁にアクセスしている場合、この「Ｊリーグ」が「サッカー」等の単語と共に嗜好データベース３３にキーワード登録され、またユーザーが映画監督「黒沢明」の映画番組を頻繁に視聴している場合には、この「黒沢明」の単語が「映画」等の単語と共に嗜好データベース３３にキーワード登録され、これらにより嗜好データベース３３にユーザーの趣味嗜好を示す単語がキーワード登録される。
【００５６】
受信端末２１では、ユーザーがこの受信端末２１に特有の番組ガイドを指定すると、嗜好データベース３３に登録されたキーワードによってＥＰＧより得られる番組情報が検索され、このキーワードを含んでなる番組情報が選択的に表示される（図６）。これにより受信端末２１においては、ユーザーの趣味嗜好に合致してなる、ユーザーが視聴する傾向の強い番組情報が選択的に提供される。従ってユーザーにおいては、自分の所望する番組を少ない選択枝の中から選択することになり、その分ディジタル衛星放送により多くの番組が提供される場合であっても、番組選択の負担が軽減される。
【００５７】
またこのようにして番組情報を提供する際に、事前にユーザー認証し、その認証結果より嗜好データベース３３を基準にした番組情報の提供と、番組情報の羅列による通常の番組情報の提供とで表示が切り換えられ（図７）、これによりユーザーの個人情報である趣味嗜好の傾向が秘密にされる。
【００５８】
（３）実施の形態の効果
以上の構成によれば、インターネットとディジタル衛星放送とを情報源として過去に取得した情報の履歴よりユーザーの嗜好を判定し、この判定結果であるキーワードに基づいて番組情報を選択することにより、多チャンネルにより多くの番組が放送される場合等であっても、番組選択の負担を軽減することができる。
【００５９】
またユーザー認証してこのような選択による番組情報を提供することにより、ユーザーの個人情報を秘匿してユーザーのプライバシーを保護することができる。
【００６０】
（４）他の実施の形態
なお上述の実施の形態においては、単に選択した番組情報をモニタ装置により表示する場合について述べたが、本発明はこれに限らず、通信回線網に接続されている点を生かしてインターネットメール等の電子メール、ポケットベルにより番組情報をユーザーに通知しても良く、また音声合成を利用して直接電話により通知してもよい。なおこのようにすれば不在のユーザーにも番組情報を通知することができる。
【００６１】
また上述の実施の形態においては、１人のユーザーについて、履歴３１、３２を記録すると共にデータベース３３を構築する場合について述べたが、本発明はこれに限らず、例えば複数のユーザーで１台の受信端末を共用する場合もあることにより、複数人のユーザーについて、履歴３１、３２を記録すると共にデータベース３３を構築するようにしてもよい。
【００６２】
また上述の実施の形態においては、ユーザー認証により嗜好データベースを基準にした番組情報の提供を中止する場合について述べたが、本発明はこれに限らず、例えばパーソナルコンピュータ等の接続により嗜好データベース、履歴への直接のアクセスも考えられることにより、この場合もユーザー認証結果によりアクセスできるようにして個人情報を保護することができる。
【００６３】
また上述の実施の形態においては、過去の履歴より嗜好データベース３３を構築する場合について述べたが、本発明はこれに限らず、操作子の操作等により直接嗜好データベースにキーワード登録できるようにしてもよい。
【００６４】
また上述の実施の形態においては、ディジタル衛星放送の受信端末に本発明を適用する場合について述べたが、本発明はこれに限らず、ケーブルテレビ放送、従来の地上波によるテレビジョン放送等の受信端末に広く適用することができる。
【００６５】
また上述の実施の形態においては、ＥＰＧより番組情報を取得する場合について述べたが、本発明はこれに限らず、インターネットを介して番組情報を提供するサーバーより番組情報を取得する場合、ＣＤ−ＲＯＭ等の記録媒体を介して番組情報を取得する場合等に広く適用することができる。
【００６６】
また上述の実施の形態においては、テレビジョン放送の受信端末に本発明を適用する場合について述べたが、本発明はこれに限らず、音楽番組の受信端末等にも広く適用することができる。
【００６７】
【発明の効果】
上述のように本発明によれば、過去の各種情報取得の履歴よりユーザーの嗜好を判定し、この判定結果に基づいて番組情報を選択することにより、多チャンネルにより多くの番組が放送される場合等であっても、番組選択の負担を軽減することができる。
【図面の簡単な説明】
【図１】本発明の実施の形態に係るディジタル衛星放送システムの受信端末を示すブロック図である。
【図２】本発明の実施の形態に係るディジタル衛星放送システムを示すブロック図である。
【図３】図１の受信端末におけるインターネット接続履歴の処理の説明に供するフローチャートである。
【図４】図１の受信端末における番組視聴履歴の処理の説明に供するフローチャートである。
【図５】図１の受信端末における嗜好データベースの処理の説明に供するフローチャートである。
【図６】図１の受信端末における番組検索処理の説明に供するフローチャートである。
【図７】図１の受信端末におけるユーザー認証の説明に供するフローチャートである。
【図８】従来のディジタル衛星放送システムを示すブロック図である。
【符号の説明】
１、２０……ディジタル衛星放送システム、１１、２１……受信端末、１２……電話回線、２６……システムコントローラ、３１……インターネット接続履歴、３２……番組視聴履歴、３３……嗜好データベース
【図１】
0004264572.tif 000002
【図２】
0004264572.tif 000003
【図３】
0004264572.tif 000004
【図４】
0004264572.tif 000005
【図５】
0004264572.tif 000006
【図６】
0004264572.tif 000007
【図７】
0004264572.tif 000008
【図８】
0004264572.tif 000009